(57)【要約】      （修正有）【課題】大引鋼等の剛性の高い連結部材を用いて建物の躯体と天井とを、躯体の上下方向で連結して一体化する天井構造において、施工時に容易に、野縁受けの位置や高さに合わせて、連結部材の高さや位置を調節することが可能な天井構造及び天井構造において使用される連結部材用位置調節部材を提供する。【解決手段】建物の躯体と、天井板２２、野縁２１及び野縁受け２３を含む天井とを剛性の高い連結部材２５を用いて躯体の上下方向で一体的に緊結して成る天井構造において、躯体における天井の上方に架け渡された支持部材２０に、連結部材の上部を上下方向にスライド可能にガイドできる位置調節部材Ａを設け、位置調節部材で連結部材をガイドしながら天井を構成する野縁受けの高さに合うように連結部材の高さを調節した後、連結部材の上部を支持部材に緊結し、かつ、連結部材の下部を野縁受けに緊結する。【選択図】図６
2019100069.tif 000002
【特許請求の範囲】
【請求項１】
建物の躯体と、天井板、野縁及び野縁受けを含む天井とを剛性の高い連結部材を用いて躯体の上下方向で一体的に緊結して成る天井構造において、
躯体における前記天井の上方に架け渡された支持部材に、前記連結部材の上部を上下方向にスライド可能にガイドできる位置調節部材を設け、
前記位置調節部材で前記連結部材をガイドしながら前記天井を構成する野縁受けの高さに合うように前記連結部材の高さを調節した後、前記連結部材の上部を前記支持部材に緊結し、かつ、前記連結部材の下部を前記野縁受けに緊結するように構成されている
ことを特徴とする天井構造。
【請求項２】
前記位置調節部材が、前記支持部材に沿って移動可能に構成され、
前記位置調節部材の前記支持部材に対する位置を確定した後に、前記位置調節部材を前記支持部材に緊結することができるように構成されている
ことを特徴とする請求項１に記載の天井構造。
【請求項３】
前記位置調節部材が、背板の両側から立ち上がる一対の側板を有する断面コ字状に形成された位置調節用金具を備え、
前記位置調節用金具の前記背板を、前記支持部材の適当な位置に緊結することにより、前記一対の側板の間で前記連結部材をガイドし、かつ、前記一対の側板に前記連結部材を緊結することができるように構成されている
ことを特徴とする請求項１又は２に記載の天井構造。
【請求項４】
前記位置調節部材が、前記位置調節用金具と別体に構成された板状体から成る金具保持用板をさらに備え、
前記位置調節用金具と前記金具保持用板とを前記支持部材の一部を挟んで連結可能に構成し、それにより、該位置調節部材が前記支持部材に沿って移動可能となり、
前記支持部材に対する前記位置調節部材の位置を確定した後、前記位置調節部材の位置調節用金具を前記支持部材に緊結することができるように構成されている
ことを特徴とする請求項３に記載の天井構造。
【請求項５】
前記支持部材がリップみぞ形鋼から成り、
前記金具保持用板が前記リップみぞ形鋼の内側に配置され、前記位置調節用金具が前記リップみぞ形鋼の外側に配置され、前記金具保持用板と前記位置調節用金具とを、前記リップみぞ形鋼のリップを挟んで連結することができるように構成されている
ことを特徴とする請求項４に記載の天井構造。
【請求項６】
建物の躯体に架け渡された支持部材と、天井板、野縁及び野縁受けを含む天井の野縁受けとを、剛性の高い連結部材を用いて躯体の上下方向で一体的に緊結して成る天井構造において使用される前記連結部材用位置調節部材であって、
前記位置調節部材が、
背板の両側から立ち上がる一対の側板を有する断面コ字状に形成された位置調節用金具と、
前記位置調節用金具と別体に構成された板状体から成る金具保持用板と
を備え、
前記位置調節用金具と前記金具保持用板とを前記支持部材の一部を挟んで連結可能に構成し、それにより、該位置調節部材が前記支持部材に沿って移動可能となり、
前記支持部材に対する前記位置調節部材の位置を確定した後、前記位置調節部材の位置調節用金具を前記支持部材に緊結し、
次いで、前記位置調節用金具の側板間で前記連結部材をガイドしながら前記天井を構成する野縁受けの高さに合うように前記連結部材の高さを調節した後、前記連結部材の上部を前記位置調節用金具の側板を介して前記支持部材に緊結し、かつ、前記連結部材の下部を前記野縁受けに緊結することができるように構成した
ことを特徴とする天井構造において賜与うされる連結部材用位置調節部材。
【発明の詳細な説明】
【技術分野】
【０００１】
本発明は、建物の躯体に天井を剛に緊結してなる天井構造及び天井構造において使用される連結部材用位置調節部材に関する。
【背景技術】
【０００２】
地震等による天井落下事故を防止するための天井構造としては、天井板を無くす直天井構造、既存の吊天井に対してブレースを設けて補強する補強吊り天井構造の他、建物と天井と一体化し剛な天井とする準構造化天井構造等がある。
特に、音楽ホール等のように音響性能を必要する建物では、音をより良く反射させるために天井板として重い材料を使用することが多いため天井落下防止のための構造は重要である。
特許文献１には、天井板の揺れを低減させるためにブレースを設けた補強吊天井構造が開示されている。
【先行技術文献】
【特許文献】
【０００３】
【特許文献１】特開2013-130044号公報
【発明の概要】
【発明が解決しようとする課題】
【０００４】
特許文献１に記載の天井構造によればブレースを設けることによって吊天井構造における天井板の揺れを低減させることはできるものの、音楽ホール等では、天井裏にスピーカー等の音響設備を導入することが求められるため、複数のブレースが天井裏に設けられていることは望ましくない。
また、上記したように音楽ホール等で使用される天井板は、それ自体が重いものが多い上に、天井裏に音響設備等の重量物を配置する可能性があるため吊天井構造よりも剛性が強い準構造化天井構造又はそれに準ずる構造を採用することが望ましい。
しかし、吊ボルトを使用しない準構造化天井構造では、大引鋼等の剛性の高い連結部材を用いて建物の躯体に設けられた梁部材と、天井板、野縁及び野縁受けを含む天井とを一体になるよう緊結する必要があるところ、音楽ホール等では、音響性能を高めるために天井板に段差を設ける等、音響に適した独特な形状を採用することが多く、場所により躯体の梁部材と野縁受けとの間の間隔が異なるため、連結部材の高さ調節や位置調節が難しいという問題がある。
本発明は、上記した従来の問題点を解決し、大引鋼等の剛性の高い連結部材を用いて建物の躯体と天井とを、躯体の上下方向で連結して一体化する準構造化天井構造等の天井構造において、施工時に容易に、野縁受けの位置や高さに合わせて、前記連結部材の高さや位置を調節することが可能な天井構造及び天井構造において使用される連結部材用位置調節部材を提供することを目的としている。
【課題を解決するための手段】
【０００５】
上記した目的を達成するために、本発明に係る天井構造は、建物の躯体と、天井板、野縁及び野縁受けを含む天井とを剛性の高い連結部材を用いて躯体の上下方向で一体的に緊結して成る天井構造において、躯体における前記天井の上方に架け渡された支持部材に、前記連結部材の上部を上下方向にスライド可能にガイドできる位置調節部材を設け、前記位置調節部材で前記連結部材をガイドしながら前記天井を構成する野縁受けの高さに合うように前記連結部材の高さを調節した後、前記連結部材の上部を前記支持部材に緊結し、かつ、前記連結部材の下部を前記野縁受けに緊結するように構成されていることを特徴とする．
また、前記位置調節部材を、前記支持部材に沿って移動可能に構成し、前記位置調節部材の前記支持部材に対する位置を確定した後に、前記位置調節部材を前記支持部材に緊結することができるように構成してもよい。
さらにまた、前記位置調節部材として、背板の両側から立ち上がる一対の側板を有する断面コ字状に形成された位置調節用金具を設け、前記位置調節用金具の前記背板を、前記支持部材の適当な位置に緊結することにより、前記一対の側板の間で前記連結部材をガイドし、かつ、前記一対の側板に前記連結部材を緊結することができるように構成することもできる。
また、前記位置調節部材として、前記位置調節用金具と別体に構成された板状体から成る金具保持用板をさらに設け、前記位置調節用金具と前記金具保持用板とを前記支持部材の一部を挟んで連結可能に構成し、それにより、該位置調節部材が前記支持部材に沿って移動可能とし、前記支持部材に対する前記位置調節部材の位置を確定した後、前記位置調節部材の位置調節用金具を前記支持部材に緊結することができるように構成することもできる。
さらにまた、前記支持部材をリップみぞ形鋼で構成し、前記金具保持用板を前記リップみぞ形鋼の内側に配置し、前記位置調節用金具を前記リップみぞ形鋼の外側に配置して、前記金具保持用板と前記位置調節用金具とを、前記リップみぞ形鋼のリップを挟んで連結することができるように構成してもよい。
また、上記した目的を達成するために、本発明に係る天井構造において使用される連結部材用位置調節部材は、建物の躯体に架け渡された支持部材と、天井板、野縁及び野縁受けを含む天井の野縁受けとを、剛性の高い連結部材を用いて躯体の上下方向で一体的に緊結して成る天井構造において使用される前記連結部材用位置調節部材であって、前記位置調節部材が、背板の両側から立ち上がる一対の側板を有する断面コ字状に形成された位置調節用金具と、前記位置調節用金具と別体に構成された板状体から成る金具保持用板とを備え、前記位置調節用金具と前記金具保持用板とを前記支持部材の一部を挟んで連結可能に構成し、それにより、該位置調節部材が前記支持部材に沿って移動可能となり、前記支持部材に対する前記位置調節部材の位置を確定した後、前記位置調節部材の位置調節用金具を前記支持部材に緊結し、次いで、前記位置調節用金具の側板間で前記連結部材をガイドしながら前記天井を構成する野縁受けの高さに合うように前記連結部材の高さを調節した後、前記連結部材の上部を前記位置調節用金具の側板を介して前記支持部材に緊結し、かつ、前記連結部材の下部を前記野縁受けに緊結することができるように構成したことを特徴とする。
【発明の効果】
【０００６】
本発明に係る天井構造は、建物の躯体と、天井板、野縁及び野縁受けを含む天井とを剛性の高い連結部材を用いて躯体の上下方向で一体的に緊結して成る天井構造において、躯体における前記天井の上方に架け渡された支持部材に、前記連結部材の上部を上下方向にスライド可能にガイドできる位置調節部材を設け、前記位置調節部材で前記連結部材をガイドしながら前記天井を構成する野縁受けの高さに合うように前記連結部材の高さを調節した後、前記連結部材の上部を前記支持部材に緊結し、かつ、前記連結部材の下部を前記野縁受けに緊結するように構成されているので、一般的なフラットな天井板は勿論のこと、音楽ホール等で採用される複雑な形状の天井板であっても、天井板の形状に合わせて連結部材の上下方向位置を容易に調節して準構造化天井構造を容易に得ることができる。また、このように剛性の高い連結部材で躯体と野縁受けとを緊結する天井構造を採用することにより、天井構造体全体の強度が向上するのは勿論のこと、ブレース等の障害物がないので天井裏に音響設備等を設置することも容易になる。
また、前記位置調節部材を、また、前記位置調節部材を、前記支持部材に沿って移動可能に構成し、前記位置調節部材の前記支持部材に対する位置を確定した後に、前記位置調節部材を前記支持部材に緊結することができるように構成することにより、施工時に、連結部材の上下方向位置だけでなく、水平方向位置も容易に調節することが可能になる。
さらにまた、前記位置調節部材として、背板の両側から立ち上がる一対の側板を有する断面コ字状に形成された位置調節用金具を設け、前記位置調節用金具の前記背板を、前記支持部材の適当な位置に緊結することで、前記一対の側板の間で前記連結部材をガイドし、かつ、前記一対の側板に前記連結部材を緊結することができるように構成することにより、位置調節用金具の側板は、連結部材の上下方向位置を調節している時はガイドとして機能し、連結部材を固定する時には、梁部材と連結部材とを緊結するためのブラケットとして機能するようになり、簡単な構造で、連結部材の上下位置の調節と、連結部材の緊結を行うことが可能になる。
また、前記位置調節部材として、前記位置調節用金具と別体に構成された板状体から成る金具保持用板をさらに設け、前記位置調節用金具と前記金具保持用板とを前記支持部材の一部を挟んで連結可能に構成し、それにより、該位置調節部材が前記支持部材に沿って移動可能とし、前記支持部材に対する前記位置調節部材の位置を確定した後、前記位置調節部材の位置調節用金具を前記支持部材に緊結することができるように構成した場合、このように前記位置調節用金具と前記金具保持用板とを前記梁部材の一部を挟んで連結可能に構成することで、位置調節部材を梁部材に沿って動かすことが容易になり、位置調節部材の水平方向の位置決めが容易になる。
さらにまた、前記支持部材をリップみぞ形鋼で構成し、前記金具保持用板を前記リップみぞ形鋼の内側に配置し、前記位置調節用金具を前記リップみぞ形鋼の外側に配置して、前記金具保持用板と前記位置調節用金具とを、前記リップみぞ形鋼のリップを挟んで連結することができるように構成することにより、位置調節部材を確実にリップに沿って移動させることが可能になり、位置調節部材の水平方向の位置決めが確実に、しかも、容易になる。
また、本発明に係る天井構造において使用される連結部材用位置調節部材は、建物の躯体に架け渡された支持部材と、天井板、野縁及び野縁受けを含む天井の野縁受けとを、剛性の高い連結部材を用いて躯体の上下方向で一体的に緊結して成る天井構造において使用される前記連結部材用位置調節部材であって、前記位置調節部材が、背板の両側から立ち上がる一対の側板を有する断面コ字状に形成された位置調節用金具と、前記位置調節用金具と別体に構成された板状体から成る金具保持用板とを備え、前記位置調節用金具と前記金具保持用板とを前記支持部材の一部を挟んで連結可能に構成し、それにより、該位置調節部材が前記支持部材に沿って移動可能となり、前記支持部材に対する前記位置調節部材の位置を確定した後、前記位置調節部材の位置調節用金具を前記支持部材に緊結し、次いで、前記位置調節用金具の側板間で前記連結部材をガイドしながら前記天井を構成する野縁受けの高さに合うように前記連結部材の高さを調節した後、前記連結部材の上部を前記位置調節用金具の側板を介して前記支持部材に緊結し、かつ、前記連結部材の下部を前記野縁受けに緊結することができるように構成されているので、音楽ホール等で採用される複雑な形状の天井板であっても、天井板の形状に合わせて連結部材の上下方向位置及び横方向位置を容易に調節して準構造化天井構造を容易に構築することができる。
【図面の簡単な説明】
【０００７】
【図１】(ａ)〜（ｆ）は本発明に係る天井構造において使用される連結部材用位置調節部材を構成する位置調節用金具の正面図、背面図、左側面図、右側面図、平面図及び底面図を示している。
【図２】(ａ)〜（ｆ）は本発明に係る天井構造において使用される連結部材用位置調節部材を構成する金具保持板の正面図、背面図、左側面図、右側面図、平面図及び底面図を示している。
【図３】（ａ）〜（ｃ）は、金具保持板を、リップ溝形鋼に嵌入する行程を示している。
【図４】（ａ）は、リップ溝形鋼のリップを挟んで金具保持板と位置調節用金具を連結した状態を正面から見た図、（ｂ）は（ａ）におけるＸ−Ｘ断面図である。
【図５】位置調節用金具における側板の間に連結部材を配置した状態を示す図４（ｂ）に対応する図である。
【図６】（ａ）及び（ｂ）は、位置調節用金具を使用して連結部材の位置を調節する状態を示す図である。
【図７】位置調節部材Ａを用いて構成した準構造化天井構造の一実施例を示す図である。
【図８】位置調節部材Ａを用いて構成した準構造化天井構造の別の実施例を示す図である。
【図９】位置調節部材Ａを用いて構成した準構造化天井構造のさらに別の実施例を示す図である。
【発明を実施するための形態】
【０００８】
以下、添付図面に示した一実施例を参照して、本発明に係る天井構造及び天井構造において使用される連結部材用位置調節部材の実施の形態を説明していく。
【０００９】
本実施例においては、位置調節部材Ａは、図１に示す位置調節用金具１と図２に示す金具保持用板１０とから成る。
図１において、（ａ）は本発明に係る位置調節部材における位置調節用金具の正面図、（ｂ）は同位置調節用金具の背面図、（ｃ）は同位置調節用金具の左側面図、（ｄ）は同位置調節用金具の右側面図、（ｅ）は同位置調節用金具の平面図、（ｆ）は同位置調節用金具の底面図を示している。
図２において、（ａ）は本発明に係る位置調節部材における金具保持用板の正面図、（ｂ）は同金具保持用板の背面図、（ｃ）は同金具保持用板の左側面図、（ｄ）は同金具保持用板の右側面図、（ｅ）は同金具保持用板の平面図、（ｆ）は同金具保持用板の底面図を示している。
【００１０】
図１に示すように、前記位置調節用金具１は、背板２と、背板２の両側において立ち上がる一対の側板３及び４を備えた断面コ字状の板体で構成されている。
背板２の上部は、前記側板３及び４より若干上方（図１における上方）に突出し、かつ、側板３及び４と反対方向に曲げられ位置合わせ用係止部５を構成している。
背板２には、金具保持用板１０と位置調節用金具１とをボルト及びナットで連結するための連結孔６及び７が形成されている。また、背板２には、位置決め後に、それを後述する躯体に架け渡された梁部材等の支持部材２０にビス等によって緊結するための複数の緊結孔８が形成されている。
さらに位置調節用金具１の側板３及び４には、それぞれ、それらを後述する連結部材２５と緊結するための複数の緊結孔９が形成されている。
図２に示すように、前記金具保持用板１０は、背板１１と、背板１１の両側において立ち上がる一対の補強フランジ１２及び１３を備えた板体で構成されている。
背板１１の一対の対向する角部は、前記支持部材２０の内側に金具保持用板１０を嵌入し易くすることができるように、切欠部１１ａが形成されている。
上記したように構成された背板１１には、位置調節用金具１の連結孔６及び７と対応する位置に連結孔１４及び１５が形成されている。
【００１１】
次に、上記した位置調節部材Ａを使用して、建物の躯体と、天井とを剛性の高い連結部材によって、躯体の上下方向で一体的に緊結して成る準構造化天井構造について説明をしていく。
建物の躯体には、角形鋼、Ｃ形鋼、リップ溝形鋼、Ｈ形鋼、又はＬ字鋼等から成る梁部材としての支持部材２０が架け渡されており、前記天井は、複数並べて配置された野縁２１と、前記野縁２１の下面に取り付けられた天井板２２と、前記野縁２１の上面に前記野縁２１と直交する方向に配置され、前記野縁２１にクリップ材を介して連結される野縁受け２２とから成る（図６参照）。
本発明に係る準構造化天井構造においては、前記支持部材２０と、前記野縁受け２２とが、角形鋼、Ｃ形鋼、リップ溝形鋼、Ｈ形鋼、又はＬ字鋼等からなる剛性の高い連結部材２５によって一体的に連結される。
【００１２】
図３（ａ）〜（ｃ）は、金具保持用板１０を、支持部材２０に取り付ける行程を示している。尚、この実施例では、支持部材２０はリップ溝形鋼から成る。
始めに、金具保持用板１０をその切欠き部１１ａが上下方向に位置するように回転させ（図３（ａ））、該金具保持用板１０を、その片側からリップ２０ａの内側に入れ（図３（ｂ））、全体がリップ２０ａの内側に入った後に、その連結孔１４及び１５が垂直方向に並ぶように回転させる（図３（ｃ））。前記金具保持用板１０の寸法は、図３（ｃ）に示す状態において、少なくとも、その上部及び下部がリップ２０ａと重なるように決められている。
上記したように金具保持用板１０をリップ溝形鋼２０の内側に入れた後、位置調節用金具１を、その係止部５がリップ溝形鋼２０の上側角部に係止するように、リップ溝形鋼２０の前面に配置し、位置調節用金具１の連結孔６及び７と、金具保持用板１０の連結孔１４及び１５との位置が合致するように金具保持用板１０と位置調節用金具１との位置を調節し、次いで、ボルト及びナットを用いて前記連結孔６及び１４並びに７及び１５を介して、位置調節用金具１及び金具保持用板２を連結する（図４参照。）
この状態において、位置調節用金具１と金具保持用板１０とは、リップ溝形鋼２０のリップ２０ａを挟んで連結されているため、支持部材Ａ（位置調節用金具１及び金具保持用板１０）は、リップ溝形鋼２０から外れることはないが、リップ２０ａに沿って左右に動かすことができる。
この状態で、位置調節部材Ａを、リップ溝形鋼２０における連結部材２５を設ける位置に移動させ、位置決め後に、位置調節用金具１の背板２に設けられている緊結孔８を介して、ビス等の適当な留め具（図示せず）で支持部材２０であるリップ溝形鋼２０に緊結する。
【００１３】
次いで、位置調節用金具１の側壁３及び４間に、連結部材２５を配置する。この連結部材２５は、上記したように、躯体の支持部材２０と、天井の野縁受け２３とを、準構造化の基準（即ち、振動固定周期０．１秒以下）を満たす強度で連結するものであり（図５参照）、例えば、角形鋼、Ｃ形鋼、リップ溝形鋼、Ｈ形鋼、又はＬ字鋼を使用することができる。
この状態において連結部材２５は、位置調節用金具１によって、その左右方向の位置が固定され、位置調節用金具１の側壁３及び４に沿って上下方向にのみ移動できる状態にある。
この状態で、連結部材２５の下部を、支持部材２０であるリップ溝形鋼２０の下方に位置する野縁受け２２の高さに合わせる。
図６（ａ）は連結部材２５の上下方向に位置合わせをする前の状態、図６（ｂ）は連結部材２５の上下方向の位置合わせが終わった状態を各々示している。
連結部材２５の上下方向に位置合わせが終了した後、連結部材２５の上部は、位置調節用金具１の側壁３及び４に設けられた複数の緊結孔９を介してビス等の適当な留め具（図示せず）で位置調節用金具１の側壁３及び４に緊結され、連結部材２５の下部は野縁受け２３に、ビス等の適当な留め具（図示せず）で緊結される。
これにより、支持部材２０と野縁受け２３とが剛に緊結された、即ち、躯体と天井とが剛に緊結された準構造化天井構造を得ることができる。
【００１４】
上記したように、本実施例によれば、位置調節部材Ａを構成する位置調節用金具１と金具保持用板１０とをリップを挟むように連結することによって、位置調節部材Ａがリップ溝形鋼から外れて落下する心配なく、簡単に、左右方向に位置調節をすることが可能になり、かつ、固定後の位置調節部材Ａの位置調節用金具１の一対の側壁３及び４の間で連結部材２４をガイドすることによって連結部材２４は、位置連れを生じさせることなく、上下位置を簡単に調節することが可能になる。
【００１５】
次に、図７〜９を参照して、上記したように構成された位置調節部材Ａを用いて構成した準構造化天井構造の幾つかの実施例を説明する。
ここで説明する実施例においては、位置調節部材Ａにおける位置調節用金具１は図４〜図６に示した実施例とは上下が逆向きに使用されている
図中、図１〜６と同じ構成部材には、同一の符号を付す。
図７において、天井は、水平に配置した複数の野縁２１の下面に天井板２２を固定し、野縁２１に野縁受け２３を耐震クリップ等で連結して成り、躯体には、支持部材２０が掛渡されている。
前記野縁受け２３と、前記支持部材２０とが連結部材２５により剛に連結されている。
連結部材２５の上部は、位置調節部材Ａを介して、支持部材２０にビス等で緊結されており、連結部材２５の下部は野縁受け２３にビス等で緊結されている。
。
【００１６】
図８では、天井は、段を付けて天井板２２を配置してなり、各天井板２２は野縁２１に固定され、各野縁受け２３は野縁２１に耐震クリップ等で連結されている。段付き部分では、上側に位置する野縁受け２３aと、下側に位置する野縁受け２３ｂとが垂直方向に配置された野縁受け２３ｃで連結されている。
躯体には、支持部材２０が掛渡されている。
上記したように構成された前記野縁受け２３と、前記支持部材２０とが連結部材２５により剛に連結されている。
連結部材２５の上部は、位置調節部材Ａを介して、支持部材２０にビス等で緊結されており、連結部材２５の下部は野縁受け２３にビス等で緊結されている。
また、上側に位置する野縁受け２３ａは、段付き部を超えて延設され、下側に位置する野縁受け２３ｂに固定された連結部材２５に、その端部が固定されるように構成されている。
【００１７】
図９では、天井は、角度を付けて天板２２を配置してなり、各天井板２２は野縁２１に固定され、各野縁受け２３は野縁２１に耐震クリップ等で連結されている。
前記野縁受け２３と、前記支持部材２０とが連結部材２５により剛に連結されている。
連結部材２５の上部は、位置調節部材Ａを介して、支持部材２０にビス等で緊結されており、連結部材２５の下部は野縁受け２３にビス等で緊結されている。
【００１８】
本実施例では、位置調節部材Ａを位置調節用金具１と金具保持用板２とで構成し、位置調節用金具１と金具保持用板２とでリップ溝形鋼のリップを挟むように構成されているが、位置調節部材Ａの構成は本実施例に限定されることなく、例えば、金具保持用板を設けずに、位置調節用金具のみで構成し、梁部材の適当な位置で位置調節用金具１を梁部材に緊結してもよい。この場合、必須ではないが位置調節用金具１自身に、梁部材のリップ等を挟むことができるフック等を一体的に形成することもできる。
また、本実施例では、位置調節部材Ａを、梁部材に直接設け、梁部材に連結部材を緊結するように構成した例を説明しているが、この構成は本実施例に限定されることなく、例えば、梁部材等に別体の支持部材を設け、当該支持部材に位置調節部材Ａを取り付けて連結部材を緊結するように構成してもよい。
【符号の説明】
【００１９】
Ａ  位置調節部材
１  位置調節用金具
２  背板
３  側板
４  側板
５  位置合わせ用係止部
６  連結孔
７  連結孔
８  緊結孔
９  緊結孔
１０  金具保持用板
１１  背板
１１ａ  切欠き部
１２  補強フランジ
１３  補強フランジ
１４  連結孔
１５  連結孔
２０  支持部材
２１  野縁
２２  天井板
２３  野縁受け
２５  連結部材
【図１】
2019100069.tif 000003
【図２】
2019100069.tif 000004
【図３】
2019100069.tif 000005
【図４】
2019100069.tif 000006
【図５】
2019100069.tif 000007
【図６】
2019100069.tif 000008
【図７】
2019100069.tif 000009
【図８】
2019100069.tif 000010
【図９】
2019100069.tif 000011